【手続補正書】
【提出日】平成27年7月24日(2015.7.24)
【手続補正１】
【補正対象書類名】特許請求の範囲
【補正対象項目名】全文
【補正方法】変更
【補正の内容】
【特許請求の範囲】
【請求項１】
組織を刺激するためのシステムであって、前記システムは、
第１のエネルギー源と、
第２のエネルギー源と、
前記第１および第２のエネルギー源を同期させる同期化要素と
を備え、組み合わされた効果が前記組織を刺激する、システム。
【請求項２】
前記第１のエネルギー源は、電場を生成する電源である、請求項１に記載のシステム。
【請求項３】
前記第２のエネルギー源は、機械場を生成する源である、請求項２に記載のシステム。
【請求項４】
前記第２のエネルギー源は、超音波デバイスである、請求項３に記載のシステム。
【請求項５】
前記電場は、パルス状である、請求項２に記載のシステム。
【請求項６】
前記電場は、時間変動する、請求項２に記載のシステム。
【請求項７】
前記電場は、複数回パルス化され、各パルスは、異なる時間の長さに対するものであることが可能である、請求項２に記載のシステム。
【請求項８】
前記電場は、時間変動しない、請求項２に記載のシステム。
【請求項９】
前記機械場は、パルス状である、請求項３に記載のシステム。
【請求項１０】
前記機械場は、時間変動する、請求項３に記載のシステム。
【請求項１１】
前記機械場は、複数回パルス化され、各パルスは、異なる時間の長さに対するものであることが可能である、請求項３に記載のシステム。
【請求項１２】
前記電場は、集束されている、請求項２に記載のシステム。
【請求項１３】
前記機械場は、集束されている、請求項３に記載のシステム。
【請求項１４】
前記電場および前記機械場の両方が集束されている、請求項３に記載のシステム。
【請求項１５】
前記第１および第２のエネルギー源は、背外側前頭前皮質、大脳基底核の任意の区画、側坐核、腹内側核（ｇａｓｔｒｉｃ  ｎｕｃｌｅｉ）、脳幹、視床、下丘、上丘、中脳水道周囲灰白質、一次運動皮質、補足運動皮質、後頭葉、ブロードマン野１−４８、一次感覚皮質、一次視覚皮質、一次聴覚皮質、扁桃体、海馬、蝸牛、脳神経、小脳、前頭葉、後頭葉、側頭葉、頭頂葉、皮質下構造、および脊髄から成る群から選択される脳または神経系内の構造または複数の構造に適用される、請求項１に記載のシステム。
【請求項１６】
前記組織は、神経組織である、請求項１に記載のシステム。
【請求項１７】
前記刺激の効果は、刺激の継続時間を超えて神経機能を変化させる、請求項１６に記載のシステム。
【請求項１８】
前記同期化要素は、前記第１および第２のエネルギーを：エネルギーの規模、エネルギーの位置、エネルギーの動的挙動（すなわち、時間の関数としての挙動）、エネルギーの静的挙動、周波数領域におけるエネルギーの挙動、エネルギーの位相、エネルギー場の配向／方向（すなわち、ベクトルの挙動）、エネルギー印加の継続時間（単一もしくは複数セッションにおける）、および／またはエネルギーの組成に関連して同期させる、請求項１に記載のシステム。
【請求項１９】
前記同期化要素は、細胞機能に基づいてエネルギーの相対的タイミングを同期させる、請求項１に記載のシステム。
【手続補正２】
【補正対象書類名】明細書
【補正対象項目名】０００５
【補正方法】変更
【補正の内容】
【０００５】
本発明は、例えば、以下を提供する：
（項目１）
組織を刺激するためのシステムであって、前記システムは、
第１のエネルギー源と、
第２のエネルギー源と、
前記第１および第２のエネルギー源を同期させる同期化要素と
を備え、組み合わされた効果が前記組織を刺激する、システム。
（項目２）
前記第１のエネルギー源は、電場を生成する電源である、項目１に記載のシステム。
（項目３）
前記第２のエネルギー源は、機械場を生成する源である、項目２に記載のシステム。
（項目４）
前記第２のエネルギー源は、超音波デバイスである、項目３に記載のシステム。
（項目５）
前記電場は、パルス状である、項目２に記載のシステム。
（項目６）
前記電場は、時間変動する、項目２に記載のシステム。
（項目７）
前記電場は、複数回パルス化され、各パルスは、異なる時間の長さに対するものであることが可能である、項目２に記載のシステム。
（項目８）
前記電場は、時間変動しない、項目２に記載のシステム。
（項目９）
前記機械場は、パルス状である、項目３に記載のシステム。
（項目１０）
前記機械場は、時間変動する、項目３に記載のシステム。
（項目１１）
前記機械場は、複数回パルス化され、各パルスは、異なる時間の長さに対するものであることが可能である、項目３に記載のシステム。
（項目１２）
前記電場は、集束されている、項目２に記載のシステム。
（項目１３）
前記機械場は、集束されている、項目３に記載のシステム。
（項目１４）
前記電場および前記機械場の両方が集束されている、項目３に記載のシステム。
（項目１５）
前記第１および第２のエネルギー源は、背外側前頭前皮質、大脳基底核の任意の区画、側坐核、腹内側核（ｇａｓｔｒｉｃ  ｎｕｃｌｅｉ）、脳幹、視床、下丘、上丘、中脳水道周囲灰白質、一次運動皮質、補足運動皮質、後頭葉、ブロードマン野１−４８、一次感覚皮質、一次視覚皮質、一次聴覚皮質、扁桃体、海馬、蝸牛、脳神経、小脳、前頭葉、後頭葉、側頭葉、頭頂葉、皮質下構造、および脊髄から成る群から選択される脳または神経系内の構造または複数の構造に適用される、項目１に記載のシステム。
（項目１６）
前記組織は、神経組織である、項目１に記載のシステム。
（項目１７）
前記刺激の効果は、刺激の継続時間を超えて神経機能を変化させる、項目１６に記載のシステム。
（項目１８）
前記同期化要素は、前記第１および第２のエネルギーを：エネルギーの規模、エネルギーの位置、エネルギーの動的挙動（すなわち、時間の関数としての挙動）、エネルギーの静的挙動、周波数領域におけるエネルギーの挙動、エネルギーの位相、エネルギー場の配向／方向（すなわち、ベクトルの挙動）、エネルギー印加の継続時間（単一もしくは複数セッションにおける）、および／またはエネルギーの組成に関連して同期させる、項目１に記載のシステム。
（項目１９）
前記同期化要素は、細胞機能に基づいてエネルギーの相対的タイミングを同期させる、項目１に記載のシステム。
（項目２０）
組織を刺激する方法であって、前記方法は、
組織の領域に第１の種類のエネルギーを提供することと、
前記組織の領域に第２の種類のエネルギーを提供することと、
前記第１および第２のエネルギー種類を同期させることと
を含み、組み合わされた効果が前記組織を刺激する、方法。
（項目２１）
前記第１の種類のエネルギーは、機械場である、項目２０に記載の方法。
（項目２２）
前記機械場は、超音波デバイスによって生成される、項目２１に記載の方法。
（項目２３）
前記機械場は、パルス状である、項目２１に記載の方法。
（項目２４）
前記機械場は、時間変動する、項目２１に記載の方法。
（項目２５）
前記機械場は、複数回パルス化され、各パルスは、異なる時間の長さに対するものであることが可能である、項目２１に記載の方法。
（項目２６）
前記第２の種類のエネルギーは、電場である、項目２０に記載の方法。
（項目２７）
前記電場は、パルス状である、項目２６に記載の方法。
（項目２８）
前記電場は、時間変動する、項目２６に記載の方法。
（項目２９）
前記電場は、複数回パルス化され、各パルスは、異なる時間の長さに対するものであることが可能である、項目２６に記載の方法。
（項目３０）
前記電場は、時間変動しない、項目２６に記載の方法。
（項目３１）
前記第１および第２の種類のエネルギーは、背外側前頭前皮質、大脳基底核の任意の区画、側坐核、腹内側核（ｇａｓｔｒｉｃ  ｎｕｃｌｅｉ）、脳幹、視床、下丘、上丘、中脳水道周囲灰白質、一次運動皮質、補足運動皮質、後頭葉、ブロードマン野１−４８、一次感覚皮質、一次視覚皮質、一次聴覚皮質、扁桃体、海馬、蝸牛、脳神経、小脳、前頭葉、後頭葉、側頭葉、頭頂葉、皮質下構造、および脊髄から成る群から選択される脳または神経系内の構造または複数の構造に印加される、項目２０に記載の方法。
（項目３２）
前記組織は、神経組織である、項目２０に記載の方法。
（項目３３）
前記刺激の効果は、刺激の継続時間を超えて神経機能を変化させる、項目３２に記載の方法。
本発明は、概して、組み合わされたエネルギー種類を使用して組織を刺激するためのシステムおよび方法に関する。本発明のシステムおよび方法は、組織に印加される複数のエネルギーを同期させるために同期化要素を使用する。このようにして、所望の細胞および／または組織に効果的に刺激を印加することができ、刺激の投与、刺激の安全性パラメータの特徴付け、および刺激の治療効果の最大化に役立つ。